(57)【要約】      （修正有）【課題】ボールペンチップと軸筒との組立バラツキがなく、空気通路の開口量を一定に維持でき、安定した空気流通が得られ、さらに、筆記時に強い筆圧が加わっても、ボールペンチップが軸筒内に没入するおそれがないボールペンを提供する。【解決手段】チップ本体３が、前側筒部３１と、段部３２と、後側筒部３３とを備える。段部３２に径方向に延び且つ径方向外方に開口する第１の溝が設けられる。後側筒部３３の外面に軸方向に延び且つ後方に開口する第２の溝が設けられる。第１の溝と第２の溝とが接続される。軸筒５の前端孔５１に後側筒部３３が圧入固着される。軸筒５の前端に段部３２が当接される。第１の溝と第２の溝とにより、軸筒５内と外気とを連通する屈曲状の空気通路８が形成される。【選択図】図１
2020199749.tif 000002
【特許請求の範囲】
【請求項１】
合成樹脂製のチップ本体の前端にボールが回転可能に抱持されたボールペンチップと、
前記ボールペンチップが圧入固着される前端孔を有する軸筒と、
前記軸筒内部に配置され且つインキが収容されるインキ収容部と、
前端部がチップ本体の内孔に挿着され且つ後端部がインキ収容部に接続されるインキ誘導部材と、を備えたボールペンであって、
前記チップ本体が、
前端にボールが回転可能に抱持され且つ軸筒の前端より前方に突出される前側筒部と、
前記前側筒部の後端に一体に形成され且つ前記軸筒の前端に当接される後向きの段部と、前記段部より後方に一体に形成され且つ前記軸筒の前端孔内面に圧入固着される後側筒部とを備え、
前記段部に径方向に延び且つ径方向外方に開口する第１の溝が設けられ、前記後側筒部の外面に軸方向に延び且つ後方に開口する第２の溝が設けられ、
前記第１の溝と前記第２の溝とが接続され、前記第１の溝と前記第２の溝とにより、軸筒内と外気とを連通する屈曲状の空気通路が形成されることを特徴とするボールペン。
【請求項２】
前記第１の溝の幅と前記第２の溝の幅が同じである請求項１に記載のボールペン。
【請求項３】
前記後側筒部の外面に、大径部と、該大径部の後方に連設され且つ該大径部より外径が小さい小径部とを備え、前記第２の溝が前記大径部に形成され、前記第２の溝が前記大径部の後端より後方に開口される請求項１または２に記載のボールペン。
【発明の詳細な説明】
【技術分野】
【０００１】
本発明は、ボールペンに関する。
【背景技術】
【０００２】
この種のボールペンにおいて、特許文献１には、ペン先体の軸部の外面に長手方向の溝が形成され、前記軸部が中空体の孔に嵌入され、前記溝の両端部が中空体の孔を超えて両側に配置されるボールペン先体が開示されている。
【先行技術文献】
【特許文献】
【０００３】
【特許文献１】特表２００６−５０９６５７号公報
【発明の概要】
【発明が解決しようとする課題】
【０００４】
前記特許文献１のボールペンは、ボールペン先体（本願のボールペンチップに相当）を中空体（本願の軸筒の相当）の孔に嵌入する場合、ボールペン先体と中空体の軸方向の位置関係にバラツキが生じ、空気通路の開口量が一定に維持できないおそれがある。もし、空気通路の開口量が過度に小さくなると、通気不足によりボールペン先体からの円滑なインキ吐出が得られないおそれがある。また、前記特許文献１のボールペンは、筆記時の強い筆圧で、ボールペン先体が中空体内に没入するおそれがある。
【０００５】
本発明は、前記従来の問題点を解決するものであって、ボールペンチップと軸筒との組立バラツキがなく、空気通路の開口量を一定に維持でき、安定した空気流通が得られ、さらに、筆記時に強い筆圧が加わっても、ボールペンチップが軸筒内に没入するおそれがないボールペンを提供しようとするものである。尚、本発明で、「前」とは、ボールペンチップ先端側を指し、「後」とは、その反対側を指す。
【課題を解決するための手段】
【０００６】
本発明に係るボールペン１は、合成樹脂製のチップ本体３の前端にボール４が回転可能に抱持されたボールペンチップ２と、前記ボールペンチップ２が圧入固着される前端孔５１を有する軸筒５と、前記軸筒５内部に配置され且つインキが収容されるインキ収容部６と、前端部がチップ本体３の内孔３ａに挿着され且つ後端部がインキ収容部６に接続されるインキ誘導部材７と、を備えたボールペンであって、前記チップ本体３が、前端にボール４が回転可能に抱持され且つ軸筒５の前端より前方に突出される前側筒部３１と、前記前側筒部３１の後端に一体に形成され且つ前記軸筒５の前端に当接される後向きの段部３２と、前記段部３２より後方に一体に形成され且つ前記軸筒５の前端孔５１内面に圧入固着される後側筒部３３とを備え、前記段部３２に径方向に延び且つ径方向外方に開口する第１の溝３２ａが設けられ、前記後側筒部３３の外面に軸方向に延び且つ後方に開口する第２の溝３３ａが設けられ、前記第１の溝３２ａと前記第２の溝３３ａとが接続され、前記第１の溝３２ａと前記第２の溝３３ａとにより、軸筒５内と外気とを連通する屈曲状の空気通路８が形成されることを特徴とする。
【０００７】
このように構成されたボールペン１は、ボールペンチップ２と軸筒５との組立バラツキがなく、空気通路８の開口量を一定に維持できるとともに安定した空気流通が得られ、さらに、筆記時に強い筆圧が加わっても、ボールペンチップ２が軸筒５内に没入するおそれがなく、軸筒５の前端孔５１におけるボールペンチップ２の安定した保持が可能となる。
【０００８】
また、上述の本発明に係るボールペン１では、前記第１の溝３２ａの幅と前記第２の溝３３ａの幅が同じであることが望ましい。これによれば、第１の溝３２ａと第２の溝３３ａの溝幅を一定にすることができ、一層、安定した空気流通が得られる。
【０００９】
さらに、上述の本発明に係るボールペン１では、前記後側筒部３３の外面に、大径部３３１と、該大径部３３１の後方に連設され且つ該大径部３３１より外径が小さい小径部３３２とを備え、前記第２の溝３３ａが前記大径部３３１に形成され、前記第２の溝３３ａが前記大径部３３１の後端より後方に開口されることが望ましい。これによれば、後側筒部３３の大径部３３１の外面が軸筒５の前端孔５１の内面に圧入固着され、大径部３３１の外面と前端孔５１の内面との間に第２の溝３３ａによる空気通路８が得られるとともに、後側筒部３３の小径部３３２が、軸筒５の前端孔５１にボールペンチップ２の後側筒部３３を挿入させる際の挿入ガイドとなり、前端孔５１へのボールペンチップ２の円滑な挿入が可能となる。
【発明の効果】
【００１０】
本発明のボールペンチップは、ボールペンチップと軸筒との組立バラツキがなく、空気通路の開口量を一定に維持でき、安定した空気流通が得られ、さらに、筆記時に強い筆圧が加わっても、ボールペンチップが軸筒内に没入するおそれがない。
【図面の簡単な説明】
【００１１】
【図１】本発明の実施の形態のボールペンの要部縦断面図である。
【図２】図１のＡ−Ａ線拡大断面図である。
【図３】図１のボールペンチップの拡大縦断面図である。
【図４】図３のＢ−Ｂ線矢視断面図である。
【図５】図３のＣ−Ｃ線矢視断面図である。
【図６】図３のボールペンチップの斜視図である。
【発明を実施するための形態】
【００１２】
本発明の実施の形態を図面に基づき説明する。（図１乃至図６参照）
本実施の形態のボールペン１は、ボールペンチップ２と、該ボールペンチップ２が取り付けられる前端孔５１を有する軸筒５と、該軸筒５内に収容される、繊維加工体からなるインキ収容部６と、該インキ収容部６の前端部に接続される、繊維加工体からなるインキ誘導部材７と、軸筒５の後端開口部に取り付けられる尾栓（図示せず）とを備える。
【００１３】
インキ収容部６にはインキが含浸される。インキ誘導部材７はインキ収容部６からのインキをボールペンチップ２に供給する。インキ収容部６は、これ以外にも、インキを直接貯溜する構成であってもよい。
【００１４】
・軸筒
軸筒５は、円筒体であり、合成樹脂（例えばポリプロピレン）の成形体により得られる。
軸筒５の前端部は先細状となり、前端に前端孔５１が軸方向に貫設される。軸筒５の後端は開口され、該軸筒２の開口された後端部からインキ収容部６が挿入可能である。
【００１５】
インキ収容部６の前端は、軸筒５内部の当接部５２に当接される。当接部５２は、軸筒５内部に配置された環状部材よりなるが、軸筒５内壁に一体形成する構成でもよい。インキ収容部６の後端は、尾栓の前端に当接される。
【００１６】
・ボールペンチップ
ボールペンチップ２は、合成樹脂製のチップ本体３と、該チップ本体３の前端に回転可能に抱持されるボール４とからなる。
【００１７】
チップ本体３の前端には径方向内方に突出する内向きの前端縁部３１ａが一体に形成され、チップ本体３の内部にはボール受け座３１ｂが一体に形成される。前記ボール受け座３１ｂは、前方に向かうに従い拡径する形状の円錐状内面より形成される。前記ボール受け座３１ｂには、軸心に軸方向に貫設される中心孔３１ｃと、該中心孔３１ｃより径方向外方に放射状に延び且つ軸方向に貫設される複数（例えば５本）のインキ誘導溝３１ｄが形成される。前端縁部３１ａとボール受け座３１ｂとの間にボール抱持部が形成され、ボール抱持部においてボール４が回転可能に抱持される。チップ本体３の内部にインキ誘導部材７の前端部が後方より挿入され、インキ誘導部材７の前端がインキ誘導溝３１ｄ及び中心孔３１ｃに接続される。
【００１８】
チップ本体３は、例えば、ポリアセタール樹脂の射出成形により得られる。ボール４は直径０．８ｍｍのものが採用される。ボール４の材質は特に限定されないが、一般に金属またはセラミックスからなるものが用いられる。ボール４は、例えば、炭化タングステン、酸化ジルコニウム、酸化アルミニウム、酸化ケイ素、炭化ケイ素などのセラミックスやステンレス鋼などの金属が用いられる。また、ボール４は、セラミックスと金属性結合材とからなる超硬合金を用いてもよい。このような超硬合金としては、タングステンカーバイトと、コバルトまたはニッケルなどの金属性結合材とからなるものが知られている。
【００１９】
筆記時、ボール４がボール受け座３１ｂに回転可能に接触され、ボール受け座３１ｂの中心孔３１ｃ及びインキ誘導溝３１ｄを通って後方よりインキがボール抱持部内のボール４に供給される。
【００２０】
チップ本体３が、先細状の前側筒部３１と、該前側筒部３１の後端に一体に形成される後向きの段部３２と、該段部３２の後方に一体に形成される後側筒部３３とを備える。
【００２１】
前側筒部３１は前端部にボール抱持部を備える。前側筒部３１は軸筒５より前方に突出される。後向きの段部３２は、軸筒５の前端に当接される。後側筒部３３は、軸筒５の前端孔５１の内面に圧入固着される。段部３２は、前側筒部３１の後端に環状に突出された鍔部の後端面に形成される。
【００２２】
・空気通路
チップ本体３の後向きの段部３２に、径方向に延び且つ径方向外方に開口する第１の溝３２ａが設けられる。チップ本体３の後側筒部３３の外面に軸方向に延び且つ後方に開口する第２の溝３３ａが設けられる。第１の溝３２ａと第２の溝３３ａの前端とが接続される。第１の溝３２ａと第２の溝３３ａは軸心対称位置に２箇所に形成される。尚、第１の溝３２ａは、径方向外方に開口されると同時に軸方向前方に開口される構成でもよい。
【００２３】
軸筒５の前端孔５１に後側筒部３３を圧入固着し、軸筒５の前端に段部３２を当接させた際、軸筒５に前端とチップ本体３の段部３２との間に、第１の溝３２ａによる、径方向に延び且つ径方向外方に開口する第１の空気通路８１が形成されると同時に、軸筒５の前端孔５１の内面と後側筒部３３の外面との間に、第２の溝３３ａによる、軸方向に延び且つ後方に開口する第２の空気通路８２が形成される。第１の溝３２ａと第２の溝３３ａとが接続されるに伴い、第１の空気通路８１と第２の空気通路８２とが略直角に接続され、軸筒５内と外気とを連通する屈曲状（Ｌ字状）の空気通路８が形成される。
【００２４】
第１の溝３２ａの幅は、径方向の内側と外側との間で一定であり、第２の溝３３ａの幅は、軸方向の前側と後側との間で一定であり、第１の溝３２ａの幅と第２の溝３３ａの幅とが同じに設定される。これにより、第１の溝３２ａと第２の溝３３ａの溝幅を一定にすることができ、一層、安定した空気流通が得られる。第１の溝３２ａの幅と第２の溝３３ａの幅は、０．８ｍｍに設定される。第１の溝３２ａ及び第２の溝３３ａの径方向の深さは、第１の溝３２ａ及び第２の溝３３ａの幅より小さく設定される。具体的には、第１の溝３２ａの軸方向の深さ及び第２の溝３３ａの径方向の深さは、第１の溝３２ａ及び第２の溝３３ａの幅の半分程度に設定される。第１の溝３２ａ及び第２の溝３３ａの幅及び深さは、ボールの直径以下であり、空気通路８の開口によって外観性が損なわれることを十分に回避きる。
【００２５】
・大径部、小径部
後側筒部３３の外面に、大径部３３１と、該大径部３３１の後方に設けられ且つ該大径部３３１より外径が小さい小径部３３２とを備える。第２の溝３３ａが大径部３３１に形成され、第２の溝３３ａが前記大径部３３１の後端より後方に開口される。後側筒部３３の大径部３３１が、前端孔５１の内面に嵌合固定（圧入固着）される。
【００２６】
小径部３３２の内孔３ａの後端開口部においてインキ誘導部材７の外面が保持される。小径部３３２の内孔３ａにおいてインキ誘導部材７の外面が保持されるため、インキ誘導部材７の折れ曲がりを防止できる。小径部３３２の後端開口部とインキ誘導部材７の外面とが加熱溶融または接着により固定され、それにより、インキ誘導部材７の前後方向のガタツキが防止される。
【００２７】
大径部３３１の後端と小径部３３２の前端との間に、後方に向かうに従い外径が小さくなる傾斜面３３３（例えば、円錐面、凸曲面、凹曲面等）が形成される。傾斜面３３３により、軸筒５の前端孔５１にボールペンチップ２の後側筒部３３を挿入させる際、前端孔５１へのボールペンチップ２の円滑な挿入が可能となる。第２の溝３３ａの底面は、小径部３３２の外面と連続した面により構成される。第２の溝３３ａは大径部３３１の後端（傾斜面３３３）より後方に開口される。小径部３３２の外面には、第２の溝３３ａは形成されていない。後側筒部３３の小径部３３２が、軸筒５の前端孔５１にボールペンチップ２の後側筒部３３を挿入させる際の挿入ガイドとなり、前端孔５１へのボールペンチップ２の円滑な挿入が可能となる。
【００２８】
本実施の形態のボールペン１は、合成樹脂製のチップ本体３の前端にボール４が回転可能に抱持されたボールペンチップ２と、前記ボールペンチップ２が圧入固着される前端孔５１を有する軸筒５と、前記軸筒５内部に配置され且つインキが収容されるインキ収容部６と、前端部がチップ本体３の内孔３ａに挿着され且つ後端部がインキ収容部６に接続されるインキ誘導部材７と、を備えたボールペンであって、前記チップ本体３が、前端にボール４が回転可能に抱持され且つ軸筒５の前端より前方に突出される前側筒部３１と、前記前側筒部３１の後端に一体に形成され且つ前記軸筒５の前端に当接される後向きの段部３２と、前記段部３２より後方に一体に形成され且つ前記軸筒５の前端孔５１内面に圧入固着される後側筒部３３とを備え、前記段部３２に径方向に延び且つ径方向外方に開口する第１の溝３２ａが設けられ、前記後側筒部３３の外面に軸方向に延び且つ後方に開口する第２の溝３３ａが設けられ、前記第１の溝３２ａと前記第２の溝３３ａとが接続され、前記第１の溝３２ａと前記第２の溝３３ａとにより、軸筒５内と外気とを連通する屈曲状の空気通路８が形成されることにより、ボールペンチップ２と軸筒５との組立バラツキがなく、空気通路８の開口量を一定に維持できるとともに安定した空気流通が得られ、さらに、筆記時に強い筆圧が加わっても、ボールペンチップ２が軸筒５内に没入するおそれがない。
【００２９】
本実施の形態のボールペン１は、第１の溝３２ａの幅と第２の溝３３ａの幅が同じであることにより、第１の溝３２ａと第２の溝３３ａの溝幅を一定にすることができ、一層、安定した空気流通が得られる。
【００３０】
本実施の形態のボールペン１は、前記後側筒部３３の外面に、大径部３３１と、該大径部３３１の後方に設けられ且つ該大径部３３１より外径が小さい小径部３３２とを備え、前記第２の溝３３ａが前記大径部３３１に形成され、前記第２の溝３３ａが前記大径部３３１の後端より後方に開口されることにより、後側筒部３３の大径部３３１の外面が軸筒５の前端孔５１の内面に圧入固着され、大径部３３１の外面と前端孔５１の内面との間に第２の溝３３ａによる空気通路８が得られ、また、後側筒部３３の小径部３３２が、軸筒５の前端孔５１にボールペンチップ２の後側筒部３３を挿入させる際の挿入ガイドとなり、前端孔５１へのボールペンチップ２の円滑な挿入が可能となる。
【符号の説明】
【００３１】
１  ボールペン
２  ボールペンチップ
３  チップ本体
３ａ  内孔
３１  前側筒部
３１ａ  前端縁部
３１ｂ  ボール受け座
３１ｃ  中心孔
３１ｄ  インキ誘導溝
３２  段部
３２ａ  第１の溝
３３  後側筒部
３３ａ  第２の溝
３３１  大径部
３３２  小径部
３３３  傾斜面
４  ボール
５  軸筒
５１  前端孔
５２  当接部
６  インキ収容部
７  インキ誘導部材
８  空気通路
８１  第１の空気通路
８２  第２の空気通路
【図１】
2020199749.tif 000003
【図２】
2020199749.tif 000004
【図３】
2020199749.tif 000005
【図４】
2020199749.tif 000006
【図５】
2020199749.tif 000007
【図６】
2020199749.tif 000008